(57)【要約】【課題】生態系に優しい天然材料であり、各種の有効成分を含有する樹皮を有効利用する際に問題となる粉塵の発生を抑制する方法を提供することを目的とする。【解決手段】樹皮の乾燥物に対しヒノキ科葉の乾燥物を２２％重量以上混合し粉砕することにより、樹皮から発生する粉塵を抑制することができる。【選択図】      なし【特許請求の範囲】
【請求項１】
樹皮の乾燥物にヒノキ科葉の乾燥物を混合することを特徴とする、樹皮乾燥物からの粉塵発生の抑制方法。
【請求項２】
樹皮の乾燥物に対しヒノキ科葉の乾燥物を２２重量％以上混合する請求項１の抑制方法。
【請求項３】
樹皮の乾燥物にヒノキ科葉の乾燥物を混合して粉砕することにより、樹皮乾燥物からの粉塵発生を抑制して樹皮乾燥粉末を製造することを特徴とする樹皮乾燥粉末の製造方法。
【発明の詳細な説明】
【０００１】
【発明の属する技術分野】
本発明は、樹皮乾燥物に対しヒノキ科葉の乾燥物を混合して樹皮からの粉塵発生を抑制する方法および該方法を利用した樹皮乾燥粉末の製造方法に関する。
【０００２】
【従来の技術】
木材を採集した後に発生する樹皮と伐採現場で林地残渣として発生する枝葉は、抗菌性、殺虫性および雑草抑制効果を有することから、その有効利用法の開発が望まれてきたが、堆肥化されたものが土壌改良材として利用される程度であった。近年、樹皮が有する抗菌性、殺虫性および雑草抑制効果といった成分を有効利用するため、マルチ資材や雑草抑制資材の開発が行われている。
【０００３】
【発明が解決しようとする課題】
これまでに、樹皮に簡単な加工を施しただけでマルチ資材等に有効利用できる方法が提案されてきている。このような製品の保存、運搬、使用における利便性を向上させるためには、樹皮自体の重量および嵩を減らすこと、即ち樹皮を乾燥させ且つ細かい粉体に加工することが必要となるが、乾燥した樹皮を粉体に加工しようとすると大量の粉塵が発生し、製造者や使用者の健康に悪影響を与えることとなり、粉塵の発生を抑制した樹皮乾燥粉体の製造は実現されていない。
【０００４】
【課題を解決するための手段】
本発明者は上記した課題を解決することを目的として鋭意研究した結果、樹皮乾燥物にヒノキ科の葉を混合することにより粉塵の発生を抑制できること、従って樹皮乾燥物にヒノキ科の葉を混合して粉砕することにより、粉塵の発生を抑制して樹皮乾燥粉体を製造できることを見出し本発明を完成させた。
即ち、本発明は、樹皮の乾燥物にヒノキ科葉の乾燥物を混合することを特徴とする、樹皮乾燥物からの粉塵発生の抑制方法に関する。
更に本発明は、樹皮の乾燥物にヒノキ科葉の乾燥物を混合して粉砕することにより、樹皮乾燥物からの粉塵発生を抑制して樹皮乾燥粉末を製造することを特徴とする樹皮乾燥粉末の製造方法に関する。
【０００５】
【発明の実施の形態】
本発明で対象とする樹皮は、いずれの種類の樹皮でもよく特に限定されず、例えばスギ、クヌギ、ヒノキ、サワラ、シラカンバ、アカマツなどが挙げられる。ヒノキ科の葉としては、ヒノキ、サワラ、ニオイヒバなどの葉が挙げられる。樹木およびヒノキ科の葉は、樹木の苗木または成木から産出されるものが用いられる。樹皮およびヒノキ科の葉の採取時期は特に限定する必要はなく、春、夏、秋、冬のいずれの時期でもよい。樹皮およびヒノキ科の葉を採取する場合の樹齢や葉齢も特に限定されず、若齢木、老齢木、若葉、古葉のいずれでもよい。
樹皮およびヒノキ科葉の乾燥物の含水率に特に限定はないが、例えば粉砕加工を行った際に粉塵が発生する程度の含水率あるいはそれ以下が対象となる。樹皮およびヒノキ属葉を乾燥させる方法としては、乾燥機による強制乾燥、雨水の当たらない屋内外での自然乾燥等がある。
【０００６】
上記した樹皮乾燥物にヒノキ科葉の乾燥物を混合することにより、樹皮乾燥物からの粉塵発生を抑制することができる。ヒノキ科葉の乾燥物の混合量は、樹皮乾燥物に対して２２重量％以上が好ましく、２５重量％以上が特に好ましい。樹皮乾燥物にヒノキ科葉の乾燥物を混合するには、いずれの方法でもよいが、例えば、樹皮乾燥物を粉砕する際に、樹皮乾燥物とヒノキ科葉の乾燥物とを同時に粉砕機の中に投入して混合すればよい。
樹皮乾燥物にヒノキ科葉の乾燥物を混合して粉砕することにより、樹皮乾燥物からの粉塵発生を抑制して樹皮乾燥粉末を製造することができる。例えば、樹皮乾燥物とヒノキ科葉の乾燥物とを同時に粉砕機の中に投入し同時に粉末化することにより、樹皮より発生する粉塵を抑制して樹皮乾燥粉末を製造することができる。このように両者を粉末に粉砕する際には、樹皮乾燥物に対しヒノキ科葉の乾燥物を２２％重量以上混合するのがよく、特に２５重量％以上が好ましい。
【０００７】
このようにヒノキ科葉の乾燥物を樹皮乾燥物に混合し粉末化することにより、粉塵の発生を大幅に抑制することができる。
また、ヒノキ科葉の乾燥物と樹皮乾燥物を混合粉砕することにより、樹皮粉末を土壌改良材やマルチ資材に利用する際の問題点である高撥水性および高Ｃ／Ｎ比も改善され、更には雑草抑制効果を有するようになり、樹皮粉末をより効果的にマルチ資材や土壌改良材として利用することができる。
【０００８】
【実施例】
以下、本発明を実施例により更に詳細に説明するが、本発明はこれらに限定されるものではない。
実施例１
茨城県つくば市においてヒノキ、スギ、サワラ、クヌギ、シラカンバ、アカマツから樹皮を、またヒノキ科の葉としてヒノキおよびサワラを、比較としてアラカシおよびアオキより葉を採集した。また、北海道紋別市においてヒノキ科の葉としてニオイヒバより葉を採集し、材料として用いた。
採集した樹皮は、表面を軽く水洗した後、１０５℃に設定した通風乾燥機中で絶乾状態にした。また、採集した葉は、枝に付けた状態で、１０５℃に設定した通風乾燥機中で絶乾状態にした後、人力により枝から葉を採集した。
【０００９】
（１）粉塵抑制試験Ｉ
先ず始めに、ヒノキの葉乾燥物とヒノキ樹皮乾燥物またはスギ樹皮乾燥物を用い、粉塵を抑制するのに好ましいヒノキ葉乾燥物の混合量を明らかにするため本試験を行った。ヒノキ樹皮乾燥物またはスギ樹皮乾燥物とヒノキ葉乾燥物を、表１に示す混合割合で粉砕機に投入した。
【００１０】
【表１】
2004255713.tif 000002
【００１１】
次いで、以下の手順で粉砕および発生粉塵量を測定した。
室内粉塵量を測定
（ｉ）２０秒間粉砕
（ｉｉ）粉砕機の蓋を開け、発生する粉塵量を粉塵測定機で測定
（ｉｉｉ）更に２０秒間粉砕
（ｉｖ）粉砕機の蓋を開け、発生する粉塵量を測定
上記（ｉｉ）および（ｉｖ）での２回の粉塵量測定の平均値を算出し、発生粉塵量とした。
結果を図１および２に示した。図１および２の結果から分かるように、樹皮乾燥物に対しヒノキ葉乾燥物を２２重量％以上混合することにより、作業者が耐えられる程度に粉塵量が低減でき、特に２５重量％以上混合することにより大幅に粉塵量を抑制できることが分かった。
【００１２】
（２）粉塵抑制試験ＩＩ
次に、上記の試験結果から、各樹皮乾燥物に対しヒノキ科葉の乾燥物を２２重量％となるように粉砕機の中に投入するか、あるいは各々の樹皮乾燥物を単体で粉砕機に投入した後、試験Ｉと同様な手順で粉砕および発生粉塵量を測定した。結果を図３に示した。図３から分かるように、各樹皮乾燥物とヒノキ科葉の乾燥物を混合することにより、大幅に粉塵量を抑制できることが分かった。また、比較として、アラカシおよびアオキの葉乾燥物を混合した場合には、粉塵量を抑制することができないことが分かった。
【００１３】
【発明の効果】
本発明によれば、樹皮乾燥物にヒノキ科の葉乾燥物を混合することにより樹皮乾燥物からの粉塵発生を抑制することができ、従って、樹皮の乾燥粉末を製造する際に問題であった粉塵発生の問題を解決することができ、破棄物であった樹皮乾燥物を、ヒノキ科の葉乾燥物を混合して粉末とし土壌改良材やマルチ資材などに有効利用することができることが可能になった。
【図面の簡単な説明】
【図１】図１は、スギ樹皮乾燥物にヒノキ葉乾燥物を混合し粉砕した際の粉塵発生量を示したグラフである。
【図２】図２は、ヒノキ樹皮乾燥物にヒノキ葉乾燥物を混合し粉砕した際の粉塵発生量を示したグラフである。
【図３】図３は、各種樹皮乾燥物とヒノキ科の葉乾燥物あるいはヒノキ科以外の葉乾燥物を混合し粉砕した際の粉塵発生量を示したグラフである。
【図１】
2004255713.tif 000003
【図２】
2004255713.tif 000004
【図３】
2004255713.tif 000005